(57)【要約】【課題】患者に関する医療情報をより適切に処理することが可能な医療情報処理プログラムおよび医療情報処理システムを提供する。【解決手段】医療情報処理システムは、患者画像取得ステップ、患者識別情報取得ステップ、患者情報取得ステップ、および患者情報通知ステップを実行する。患者画像取得ステップでは、撮影部によって撮影された患者の画像が取得される（Ｓ１）。患者識別情報取得ステップでは、患者の画像に対して顔認識処理が行われることで、撮影された患者を識別する患者識別情報が取得される（Ｓ３）。患者情報取得ステップでは、識別された患者の患者情報が取得される（Ｓ４）。患者情報通知ステップでは、患者情報の少なくともいずれかがユーザに通知される（Ｓ５）。【選択図】図３
2020042356.tif 000002
【特許請求の範囲】
【請求項１】
複数の患者の情報を記憶したデータベースと、ユーザによって使用される端末装置とを備えた医療情報処理システムにおいて実行される医療情報処理プログラムであって、
前記医療情報処理プログラムが前記医療情報処理システムのコントローラによって実行されることで、
画像を撮影する撮影部によって撮影された患者の画像を取得する患者画像取得ステップと、
前記患者画像取得ステップにおいて取得された前記患者の画像に対して顔認識処理を行うことで、撮影された前記患者を識別する患者識別情報を取得する患者識別情報取得ステップと、
前記データベースから、前記患者識別情報によって識別された前記患者の患者情報を取得する患者情報取得ステップと、
取得した前記患者情報の少なくともいずれかをユーザに通知する患者情報通知ステップと、
が前記医療情報処理システムによって実行されることを特徴とする医療情報処理プログラム。
【請求項２】
請求項１に記載の医療情報処理プログラムであって、
前記撮影部によって撮影された薬剤に関する画像を取得する薬剤画像取得ステップと、
前記薬剤画像取得ステップにおいて取得された前記薬剤に関する画像に基づいて、薬剤を識別する薬剤識別情報を取得する薬剤識別情報取得ステップと、
前記患者の患者情報に含まれる薬剤情報と、前記薬剤識別情報を照合することで、前記薬剤識別情報によって識別される前記薬剤が前記患者に投与されるべき薬剤であるか否かを判断する判断ステップと、
前記薬剤が前記患者に投与されるべきでないと判断された場合にユーザに警告を行う警告ステップと、
が前記医療情報処理システムによって実行されることを特徴とする医療情報処理プログラム。
【請求項３】
請求項１または２に記載の医療情報処理プログラムであって、
前記端末装置は、ユーザの頭部に装着されると共に前記撮影部を有するウェアラブル端末であることを特徴とする医療情報処理プログラム。
【請求項４】
請求項３に記載の医療情報処理プログラムであって、
前記端末装置は、外部をユーザに視認させつつ、画像をユーザに対して表示することが可能な透過型ヘッドマウントディスプレイを備えたことを特徴とする医療情報処理プログラム。
【請求項５】
請求項４に記載の医療情報処理プログラムであって、
眼科画像撮影装置によって撮影された前記患者の眼科画像を前記眼科画像撮影装置から取得し、前記透過型ヘッドマウントディスプレイに表示させる撮影画像表示制御ステップ
が前記医療情報処理システムによって実行されることを特徴とする医療情報処理プログラム。
【請求項６】
請求項３から５のいずれかに記載の医療情報処理プログラムであって、
音入力部によって入力された音に対して音認識処理を行い、前記音認識処理による認識結果に基づいて、テキスト情報、および前記医療情報処理システムの動作を制御する制御信号の少なくともいずれかを生成する音認識ステップ
が前記医療情報処理システムによって実行されることを特徴とする医療情報処理プログラム。
【請求項７】
複数の患者の情報を記憶したデータベースと、ユーザによって使用される端末装置とを備えた医療情報処理システムであって、
前記医療情報処理システムの制御部は、
画像を撮影する撮影部によって撮影された患者の画像を取得し、
取得した前記患者の画像に対して顔認識処理を行うことで、撮影された前記患者を識別する患者識別情報を取得し、
前記データベースから、前記患者識別情報によって識別された前記患者の患者情報を取得し、
取得した前記患者情報の少なくともいずれかをユーザに通知することを特徴とする医療情報処理システム。
【発明の詳細な説明】
【技術分野】
【０００１】
本開示は、患者に関する医療情報を処理するための医療情報処理プログラムおよび医療情報処理システムに関する。
【背景技術】
【０００２】
従来、患者に関する医療情報を処理するための種々の技術が提案されている。例えば、特許文献１が開示する医療支援装置では、患者識別用記憶媒体に格納された患者識別情報（患者のリストバンドに付されたコードシンボル）が、ハンディーターミナルの読取部によって読み取られる。次いで、患者識別情報に対応付けられた薬剤の処方履歴に基づいて、併用禁忌薬に関する報知処理が行われる。
【先行技術文献】
【特許文献】
【０００３】
【特許文献１】特開２０１３−１４２９８９号公報
【発明の概要】
【発明が解決しようとする課題】
【０００４】
特許文献１が開示する医療支援装置では、患者識別用記憶媒体を患者毎に付与する必要があり、患者識別情報を読み取るための作業も必要となる。また、患者識別用記憶媒体と患者の対応が誤っている場合等（例えば、患者が他人の患者識別用記憶媒体を所持している場合等）には、医療情報が誤って処理される場合もある。従って、患者に関する医療情報がより適切に処理されるシステムが構築されることが望ましい。
【０００５】
本開示の典型的な目的は、患者に関する医療情報をより適切に処理することが可能な医療情報処理プログラムおよび医療情報処理システムを提供することである。
【課題を解決するための手段】
【０００６】
本開示における典型的な実施形態が提供する医療情報処理プログラムは、複数の患者の情報を記憶したデータベースと、ユーザによって使用される端末装置とを備えた医療情報処理システムにおいて実行される医療情報処理プログラムであって、前記医療情報処理プログラムが前記医療情報処理システムのコントローラによって実行されることで、画像を撮影する撮影部によって撮影された患者の画像を取得する患者画像取得ステップと、前記患者画像取得ステップにおいて取得された前記患者の画像に対して顔認識処理を行うことで、撮影された前記患者を識別する患者識別情報を取得する患者識別情報取得ステップと、前記データベースから、前記患者識別情報によって識別された前記患者の患者情報を取得する患者情報取得ステップと、取得した前記患者情報の少なくともいずれかをユーザに通知する患者情報通知ステップと、が前記医療情報処理システムによって実行される。
【０００７】
本開示における典型的な実施形態が提供する医療情報処理システムは、複数の患者の情報を記憶したデータベースと、ユーザによって使用される端末装置とを備えた医療情報処理システムであって、前記医療情報処理システムの制御部は、画像を撮影する撮影部によって撮影された患者の画像を取得し、取得した前記患者の画像に対して顔認識処理を行うことで、撮影された前記患者を識別する患者識別情報を取得し、前記データベースから、前記患者識別情報によって識別された前記患者の患者情報を取得し、取得した前記患者情報の少なくともいずれかをユーザに通知する。
【０００８】
本開示に係る医療情報処理プログラムおよび医療情報処理システムによると、患者に関する医療情報が適切に処理される。
【図面の簡単な説明】
【０００９】
【図１】本実施形態の医療情報処理システム１が使用されて診断または検査等が行われる様子を概略的に示す図である。
【図２】医療情報処理システム１の電気的構成を示す図である。
【図３】端末装置１０が実行する医療情報処理のフローチャートである。
【図４】患者情報表示部４２、警告表示部４４、および撮影眼科画像表示部４６が透過型ＨＭＤに表示された状態の、ユーザの視界の一例を説明するための図である。
【発明を実施するための形態】
【００１０】
＜概要＞
本開示で例示する医療情報処理プログラムは、データベースと端末装置を備えた医療情報処理システムにおいて実行される。医療情報処理システムは、患者画像取得ステップ、患者識別情報取得ステップ、患者情報取得ステップ、および患者情報通知ステップを実行する。患者画像取得ステップでは、画像を撮影する撮影部によって撮影された患者の画像が取得される。患者識別情報取得ステップでは、患者画像取得ステップにおいて取得された患者の画像に対して顔認識処理が行われることで、撮影された患者を識別する患者識別情報が取得される。患者情報取得ステップでは、データベースから、患者識別情報によって識別された患者の患者情報が取得される。患者情報通知ステップでは、取得された患者情報の少なくともいずれかがユーザに通知される。
【００１１】
本開示で例示する技術によると、患者識別用記憶媒体（例えば、バーコード、ＱＲコード（登録商標）、またはカメレオンコード等のコードシンボル、またはＩＣチップ等）を患者毎に付与しなくても、患者を識別することができる。さらに、患者識別用記憶媒体を使用することによる問題（例えば、患者が他人の患者識別用記憶媒体を所持してしまう問題等）も生じないので、正確に医療情報が処理される。よって、患者に関する医療情報がより適切に処理される。
【００１２】
なお、データベースは、端末装置とは別のデバイス（例えばサーバ）に設けられていてもよいし、端末装置に設けられていてもよい。端末装置とは別のデバイスにデータベースが設けられている場合、複数のデバイス間の通信方法には、種々の方法（例えば、無線通信、有線通信、またはネットワーク（例えばインターネット等）を介した通信等）を採用できる。端末装置と、データベースを備えたデバイスは、他のデバイスを介さずに直接通信を行ってもよいし、他のデバイス（例えばパーソナルコンピュータ（以下、「ＰＣ」という）を介して通信を行ってもよい。
【００１３】
また、患者識別情報取得ステップは、端末装置によって実行されてもよいし、端末装置から送信された患者の画像に基づいてサーバ等によって実行されてもよい。また、患者情報通知ステップにおいて患者情報をユーザに通知する方法も適宜選択できる。例えば、表示部に患者情報が表示されることで、患者情報がユーザに通知されてもよい。また、音出力部（例えばスピーカ等）によって患者情報の音声が出力されることで、患者情報がユーザに通知されてもよい。
【００１４】
医療情報処理システムは、薬剤画像取得ステップ、薬剤識別情報取得ステップ、判断ステップ、および警告ステップを実行してもよい。薬剤画像取得ステップでは、撮影部によって撮影された薬剤に関する画像が取得される。薬剤識別情報取得ステップでは、薬剤画像取得ステップにおいて取得された薬剤に関する画像に基づいて、薬剤を識別する薬剤識別情報が取得される。判断ステップでは、識別された患者の患者情報に含まれる薬剤情報と、薬剤識別情報とが照合されることで、薬剤が患者に投与されるべき薬剤であるか否かが判断される。警告ステップでは、薬剤が患者に投与されるべきでないと判断ステップにおいて判断された場合に、ユーザへの警告が行われる。
【００１５】
この場合、識別された患者の患者情報と薬剤の情報に基づいて、薬剤が患者に投与されるべきか否かが適切に判断される。よって、患者に対する薬剤の処方がより適切に行われる。
【００１６】
なお、薬剤に関する画像から薬剤識別情報を取得するための具体的な方法は、適宜選択できる。例えば、薬剤の容器等に付された文字が、薬剤の画像に基づいて認識されることで、薬剤識別情報が取得されてもよい。また、薬剤の容器等に付されたコードシンボルが、薬剤の画像から読み取られることで、薬剤識別情報が取得されてもよい。また、薬剤名が記載されたカルテ等の画像から、薬剤名の文字が識別されることで、薬剤識別情報が取得されてもよい。
【００１７】
また、識別された薬剤が、患者に投与されるべき薬剤であるか否かを判断するための具体的な方法も、適宜変更できる。例えば、医療情報処理システムの制御部は、識別された患者の患者情報に含まれる禁忌薬の情報と、薬剤識別情報とを比較してもよい。制御部は、薬剤識別情報によって識別された薬剤が禁忌薬である場合に、薬剤が患者に投与されるべきでないと判断してもよい。また、制御部は、識別された患者の患者情報に含まれる処方薬情報と、薬剤識別情報とを比較してもよい。処方薬情報は、ユーザが処方を指示した薬剤の情報である。制御部は、薬剤識別情報によって識別された薬剤が、ユーザが処方を指示した薬剤でない場合に、薬剤が患者に投与されるべきでないと判断してもよい。
【００１８】
また、制御部は、薬剤画像取得ステップにおいて取得された画像に基づいて、薬剤が投与されようとしている患者の部位を検出してもよい。制御部は、薬剤が投与されようとしている部位が、患者情報によって示される適切な部位と異なる場合に、ユーザに警告を行ってもよい。この場合、薬剤が不適切な部位に投与される可能性が低下する。
【００１９】
また、薬剤識別情報取得ステップおよび判断ステップは、端末装置によって実行されてもよいし、サーバ等によって実行されてもよい。また、警告ステップにおけるユーザへの具体的な警告方法も適宜選択できる。例えば、端末装置は、表示部に警告を表示させてもよいし、音出力部に警告音を出力させてもよい。
【００２０】
撮影部は、ユーザ（例えば医師等）の頭部に装着される端末装置（所謂「ウェアラブル端末」）に設けられていてもよい。この場合、ユーザは、患者および薬剤等の少なくともいずれかの方向に頭部を向けるだけで、ユーザの前にいる患者、および、ユーザの前にある薬剤等の少なくともいずれかの画像を撮影部に撮影させることができる。その結果、患者識別情報および薬剤識別情報の少なくともいずれかが、医療情報処理システムによって容易に取得される。よって、より適切に診断等が行われる。
【００２１】
ただし、撮影部が設けられる位置を変更することも可能である。例えば、撮影部は、患者の診察を行う部屋、および、患者が通過する通路等の少なくともいずれかに設けられていてもよい。この場合でも、患者識別情報を取得するための特別な作業が行われなくても患者が識別される。また、患者および薬剤の少なくともいずれかの撮影は、携帯型のカメラがユーザによって操作されることで行われてもよい。
【００２２】
端末装置は、透過型ヘッドマウントディスプレイを備えていてもよい。透過型ヘッドマウントディスプレイは、端末装置を頭部に装着したユーザに外部の様子を視認させつつ、各種画像をユーザに対して表示することができる。従って、医療情報処理システムは、外部の様子と各種情報（例えば、患者情報等）を容易にユーザに把握させつつ、ユーザの前の患者等の識別情報を適切に取得することができる。
【００２３】
医療情報処理装置は、撮影画像表示ステップを実行してもよい。撮影画像表示ステップでは、眼科画像撮影装置によって撮影された患者の眼科画像が眼科画像撮影装置から取得されて、透過型ヘッドマウントディスプレイに表示される。この場合、ユーザは、実際に撮影された画像を確認しながら各種作業等を適切に行うことができる。例えば、眼科画像撮影装置によって患者眼（被検眼）を撮影する際には、ユーザは、患者の瞼を手で開く作業（所謂「開瞼作業」）を行う場合がある。この場合、ユーザは、画像が良好に撮影される程度に開瞼作業が適切に行われたか否かを画像によって確認しながら、開瞼作業を行うことができる。また、眼科画像撮影装置によって被検眼を撮影する際には、ユーザは、外部固視灯を移動させて患者眼の視線を誘導させる場合がある。この場合、ユーザは、適切な眼科画像が撮影されるか否かを、実際に撮影された画像に基づいて判断しながら、患者眼の視線を誘導することができる。
【００２４】
医療情報処理装置は、音認識ステップを実行する。音認識ステップでは、音入力部によって入力された音に対して音認識処理が行われ、音認識処理による認識結果に基づいて、テキスト情報、および医療情報処理システムの動作を制御する制御信号の少なくともいずれかが生成される。この場合、ユーザは、ウェアラブル端末である端末装置を装着することで、テキスト情報および制御信号の生成処理、および患者の認識処理を含む種々の処理を、手を使わずに容易に医療情報処理システムに実行させることができる。よって、ユーザは、より適切に診断等を行うことができる。
【００２５】
＜実施形態＞
（使用形態）
以下、本開示における典型的な実施形態の１つについて、図面を参照して説明する。本実施形態では、眼科分野の医療情報を処理する医療情報処理システム（つまり、眼科情報処理システム）を例示して説明を行う。しかし、本実施形態で例示する技術の少なくとも一部は、眼科分野以外の医療分野の医療情報を処理する医療情報処理システムにも適用できる。
【００２６】
まず、図１を参照して、本実施形態の医療情報処理システム１が使用されて診断または検査等が行われる様子の一例について説明する。医療情報処理システム１は、ユーザＵによって使用される端末装置１０を備える。本実施形態における端末装置１０は、ユーザＵの頭部に装着されるウェアラブル端末である。
【００２７】
詳細は後述するが、本実施形態の端末装置１０は、撮影部および透過型ヘッドマウントディスプレイ（以下、「透過型ＨＭＤ」という）を備える。撮影部は、ユーザＵの顔の前にいる患者Ｐ、および、ユーザＵの顔の前にある薬剤Ｄ等を撮影することができる。つまり、ユーザＵは、頭部の向きを患者Ｐに向けることで、撮影部に患者Ｐを撮影させることができる。また、ユーザＵは、頭部の向きを薬剤Ｄに向けることで、撮影部に薬剤Ｄを撮影させることができる。また、ユーザＵは、頭部の向きをカルテ（図示せず）に向けることで、撮影部にカルテを撮影させることもできる。
【００２８】
透過型ＨＭＤは、画像を表示させる表示部の一例である。本実施形態の透過型ＨＭＤは、外部をユーザＵに視認させつつ、画像をユーザＵに対して表示することができる。表示させることが可能な画像には、写真および絵等の静止画像、動画像、および、数値や文章等の文字の画像も含まれる。つまり、透過型ＨＭＤは、現実世界の上に様々な情報を表示させることができる。従って、ユーザＵは、患者Ｐ等を視認しつつ、透過型ＨＭＤによって表示された画像を確認することができる。
【００２９】
ただし、端末装置、撮影部、および表示部の具体的構成を変更することも可能である。例えば、ユーザＵの頭部に装着されるウェアラブル端末の代わりに、ユーザＵによって操作されるタブレット端末等の携帯端末、またはパーソナルコンピュータ（以下、「ＰＣ」という）等が使用されてもよい。撮影部は、患者Ｐの診察等を行う部屋に備え付けられていてもよいし、ユーザＵによって操作される携帯型のカメラであってもよい。また、透過型ＨＭＤは、一般的に用いられるディスプレイまたはプロジェクタ等の表示部によって代用されてもよい。
【００３０】
（電気的構成）
図２を参照して、本実施形態の医療情報処理システム１の電気的構成について説明する。本実施形態の医療情報処理システム１は、端末装置１０、サーバ２０、および眼科画像撮影装置３０を備える。前述したように、本実施形態の端末装置１０は、ウェアラブル端末である。
【００３１】
本実施形態の端末装置１０は、制御ユニット１１を備える。制御ユニット１１は、ＣＰＵ（コントローラ）１２および記憶装置１３を備える。ＣＰＵ１２は、端末装置１０の各種制御を司る。記憶装置１３には、各種プログラムおよびデータ等が記憶される。本実施形態では、後述する医療情報処理（図３参照）を実行するための医療情報処理プログラム等が、記憶装置１３に記憶されている。
【００３２】
また、端末装置１０は、撮影部１４、深度センサ１５、音出力部１６、音入力部１７、透過型ＨＭＤ１８、および外部通信Ｉ／Ｆ１９を備える。撮影部１４は、ウェアラブル端末である端末装置１０の少なくとも前方を撮影することができる。深度センサ１５は、端末装置１０の前方に位置する物体との間の距離を検出する。一例として、本実施形態の深度センサ１５は、２つの赤外線カメラを備える。２つの赤外線カメラの各々によって撮影された画像間でマッチングが行われることで、画像に写り込んでいる物体との間の距離が検出される。本実施形態の端末装置１０は、深度センサ１５を用いることで、ユーザＵ等のジェスチャーを検出することもできる。音出力部（スピーカ）１６は、各種音声を出力する。音入力部（マイク）１７は、各種音声を入力する。
【００３３】
透過型ＨＭＤ１８は、外部をユーザＵに視認させつつ、画像をユーザＵに対して表示することができる。透過型ＨＭＤ１８の具体的な構成は適宜選択できる。例えば、透過型ＨＭＤ１８は、ユーザＵの眼前に配置される導光板に画像を投影してもよいし、ハーフミラー等によって虚像を形成してもよい。また、透過型ＨＭＤ１８は、スキャナ等によってユーザＵの網膜に画像を直接結像させてもよい。画像は、ユーザＵの両眼に表示されてもよいし、片眼に表示されてもよい。
【００３４】
外部通信Ｉ／Ｆ１９は、端末装置１０を外部機器（例えば、サーバ２０および眼科画像撮影装置３０等）と接続する。本実施形態の端末装置１０は、無線通信によってサーバ２０および眼科画像撮影装置３０と接続される。従って、ユーザＵは、端末装置１０を頭部に装着した状態で自由に移動することができる。ただし、無線通信と共に、または無線通信の代わりに、有線通信が用いられてもよい。また、端末装置１０は、ネットワーク（例えばインターネット等）を介してサーバ２０等と通信を行ってもよい。
【００３５】
サーバ２０は、接続される端末装置１０に対して各種データ等を提供する。サーバ２０は、クラウドサービスを提供するメーカーのサーバ（所謂クラウドサーバ）であってもよいし、クラウドサーバ以外のサーバであってもよい。サーバ２０は、制御ユニット２１を備える。制御ユニット２１は、ＣＰＵ（コントローラ）２２および記憶装置２３を備える。ＣＰＵ２２は、サーバ２０の各種制御を司る。記憶装置２３には、各種プログラムおよびデータ等が記憶される。なお、本実施形態では、複数の患者の患者情報が、サーバ２０の記憶装置２３に記憶されている。つまり、本実施形態では、サーバ２０の記憶装置２３が、複数の患者の患者情報を記憶するデータベースとして機能する。ただし、データベースの構成を変更することも可能である。例えば、端末装置１０の記憶装置１３がデータベースとして機能してもよい。
【００３６】
眼科画像撮影装置３０は、患者Ｐの眼科画像を撮影する。眼科画像撮影装置３０には、種々の眼科画像撮影装置（例えば、ＯＣＴ装置、眼底カメラ、走査型眼科撮影装置（例えばＳＬＯ）、および角膜内皮細胞撮影装置等の眼科検査装置）の少なくともいずれかが用いられる。眼科画像撮影装置３０は、制御ユニット３１および眼科画像撮影部３４を備える。制御ユニット３１は、ＣＰＵ（コントローラ）３２および記憶装置３３を備える。ＣＰＵ３２は、眼科画像撮影装置３０の各種制御を司る。記憶装置３３には、各種プログラムおよびデータ等が記憶される。眼科画像撮影部３４は、眼科画像を撮影するために必要な各種構成を備える。
【００３７】
（医療情報処理）
図３および図４を参照して、本実施形態の医療情報処理システム１が実行する医療情報処理について説明する。なお、本実施形態で例示する医療情報処理の多くは、端末装置１０のＣＰＵ１２によって実行される。つまり、端末装置１２のＣＰＵ１２が、記憶装置１３に記憶された医療情報処理プログラムに従って、図３に例示する医療情報処理を実行する。ただし、医療情報処理を実行するデバイスは、端末装置１０に限定されない。例えば、端末装置１０のＣＰＵ１２と、サーバ２０のＣＰＵ２２が、協働して医療情報処理を実行してもよい。つまり、図３に例示する複数の処理の一部が、サーバ２０のＣＰＵ２２によって実行されてもよい。
【００３８】
図３に示すように、ＣＰＵ１２は、撮影部１４（図２参照）によって撮影されている画像の取得を開始する（Ｓ１）。本実施形態の撮影部１４は動画を撮影している。Ｓ１では、撮影部１４によって撮影されている動画がリアルタイムで取得される。
【００３９】
次いで、ＣＰＵ１２は、患者Ｐの画像が取得されたか否かを判断する（Ｓ２）。取得されていなければ（Ｓ２：ＮＯ）、Ｓ２の判断が繰り返される。前述したように、本実施形態の撮影部１４は、ウェアラブル端末である端末装置１０に設けられており、ユーザＵの前方の画像を撮影している。端末装置１０を装着したユーザＵが、頭部を患者Ｐに向けることで、患者Ｐの画像が撮影される。
【００４０】
患者Ｐの画像が取得されると（Ｓ２：ＹＥＳ）、ＣＰＵ１２は、取得された患者Ｐの画像に対して顔認識処理を行うことで、撮影された患者Ｐを識別する患者識別情報を取得する（Ｓ３）。顔認識処理の具体的な方法は、適宜選択できる。例えば、本実施形態のＣＰＵ１２は、画像内の患者Ｐの顔における特徴位置（例えば、眼、鼻、口等の少なくともいずれか）と、顔の領域（例えば輪郭等）を検出する。次いで、データベースに記憶されている複数の人物の顔の情報と、検出結果とが照合されることで、患者識別情報が取得される。なお、本実施形態では、複数の人物の顔の情報を記憶したデータベースは、サーバ２０の記憶装置２３である。従って、本実施形態では、画像から検出された情報が端末装置１０からサーバ２０に送信され、サーバ２０においてデータベース内のデータと照合されることで、患者識別情報が取得される。ただし、複数の人物の顔の情報を記憶したデータベースは、サーバ２０以外のデバイス（例えば端末装置１０）に設けられていてもよい。
【００４１】
次いで、ＣＰＵ１２は、Ｓ３で取得された患者識別情報によって識別される患者Ｐの患者情報を取得する（Ｓ４）。前述したように、本実施形態では、患者情報のデータベースはサーバ２０に設けられている。サーバ２０のＣＰＵ２２は、Ｓ３で取得された患者識別情報によって識別される患者Ｐの患者情報を、端末装置１０に送信する。
【００４２】
ＣＰＵ１２は、取得した患者情報の少なくともいずれかを、透過型ＨＭＤ１８に表示させる（Ｓ５）。ユーザＵに通知される患者情報の種類は適宜選択できる。図４は、患者情報を示す患者情報表示部４２および撮影眼科画像表示部４６が透過型ＨＭＤ１８に表示された状態の、ユーザＵの視野４０の一例を示す。図４に示す例では、識別された患者Ｐの患者ＩＤ、患者氏名、禁忌薬、病名、および眼科画像が、患者情報の一例として表示されている。なお、他の患者情報（例えば、患者Ｐの性別、生年月日、アレルギー情報、過去検査結果、カルテ情報、受付を行ってからの経過時間、会計情報等の少なくともいずれか）が取得および表示されてもよい。また、ＣＰＵ１２は、音出力部１６から音声を出力させることで、患者情報の少なくともいずれかをユーザＵに通知してもよい。
【００４３】
次いで、ＣＰＵ１２は、薬剤に関する画像が取得されたか否かを判断する（Ｓ７）。薬剤に関する画像は、例えば、薬剤の容器等に付された文字を含む画像、薬剤の容器等に付されたコードシンボルを含む画像、薬剤名が記載されたカルテ等の画像の少なくともいずれかであってもよい。本実施形態では、端末装置１０を装着したユーザＵが、頭部を薬剤の容器またはカルテ等に向けることで、薬剤に関する画像が撮影される。薬剤に関する画像が取得されていなければ（Ｓ７：ＮＯ）、処理はＳ１２に移行する。
【００４４】
薬剤に関する画像が取得されると（Ｓ７：ＹＥＳ）、ＣＰＵ１２は、薬剤に関する画像に基づいて、薬剤を識別する薬剤識別情報を取得する（Ｓ８）。例えば、ＣＰＵ１２は、画像に含まれる文字を画像処理等によって認識することで、薬剤識別情報を取得してもよい。また、ＣＰＵ１２は、画像に含まれるコードシンボルを識別することで、薬剤識別情報を取得してもよい。
【００４５】
ＣＰＵ１２は、Ｓ４で取得された患者情報に含まれる薬剤情報（例えば、本実施形態では、図４に示す「禁忌薬」の情報）と、Ｓ８で取得された薬剤識別情報とを照合させることで、薬剤識別情報によって識別された薬剤が患者Ｐの禁忌薬であるか否かを判断する（Ｓ９）。禁忌薬でなければ（Ｓ９：ＮＯ）、処理はそのままＳ１２に移行する。禁忌薬であれば（Ｓ９：ＹＥＳ）、ＣＰＵ１２は、識別された薬剤が患者Ｐの禁忌薬である旨を、ユーザＵに警告する（Ｓ１０）。図４に示すように、本実施形態では、警告表示部４４にメッセージが表示されることで、禁忌薬である旨が警告される。ただし、警告の方法を変更することも可能である。例えば、ＣＰＵ１２は、音出力部１６から音声を出力させることで警告を行ってもよい。また、ＣＰＵ１２は、警告ランプ（図示せず）を点灯または点滅させることで警告を行ってもよい。
【００４６】
また、ＣＰＵ１２は、Ｓ４で取得された患者情報に含まれる処方薬情報と、Ｓ８で取得された薬剤識別情報とを照合させることで、薬剤識別情報によって識別される薬剤が、患者Ｐに投与されるべき薬剤であるか否かを判断してもよい。患者Ｐに投与されるべき薬剤でないと判断された場合、ＣＰＵ１２は、ユーザＵに警告を行ってもよい。また、ＣＰＵ１２は、取得された画像に基づいて、薬剤が投与されようとしている患者の部位（例えば、薬剤が目薬である場合は右眼または左眼）を検出してもよい。ＣＰＵ１２は、薬剤が投与されようとしている部位が、患者情報によって示される適切な部位と異なる場合に、ユーザに警告を行ってもよい。
【００４７】
次いで、ＣＰＵ１２は、眼科画像撮影装置３０による撮影中の、患者Ｐの眼科画像を取得したか否かを判断する（Ｓ１２）。取得されていなければ（Ｓ１２：ＮＯ）、処理はそのままＳ１５に移行する。本実施形態では、眼科画像撮影装置３０は、患者Ｐの眼科画像を撮影すると、撮影した眼科画像（詳細には、現時点でリアルタイムに撮影されている動画像、または、直前に撮影された画像）を端末装置１０に送信する。ＣＰＵ１２は、撮影された眼科画像を取得すると（Ｓ１２：ＹＥＳ）、取得した眼科画像を透過型ＨＭＤ１８に表示させる（Ｓ１３）。従って、ユーザＵは、例えば、撮影対象の患者Ｐに対して開瞼作業を行う場合、または、外部固視灯によって患者Ｐの視線を誘導させる場合等に、実際に撮影された画像を確認しながら作業を行うことができる。
【００４８】
次いで、ＣＰＵ１２は、音入力部１７によって音が入力されたか否かを判断する（Ｓ１５）。入力されていなければ（Ｓ１５：ＮＯ）、処理はそのままＳ１９に移行する。音が入力されると（Ｓ１５：ＹＥＳ）、ＣＰＵ１２は、入力された音に対して音認識処理を実行する（Ｓ１６）。本実施形態で実行される音認識処理では、音入力部１７に入力された音が、コンピュータで処理可能な情報として処理される。ＣＰＵ１２は、音認識処理による認識結果に応じて、テキスト情報を生成する処理、および、医療情報処理システム１を制御する制御信号を生成する処理の少なくともいずれかを実行する（Ｓ１７）。従って、ユーザＵは、カルテ等に情報を入力するための操作を行わなくても、入力したいテキストを発声することで、テキスト情報を医療情報処理システム１に生成させることができる。また、ユーザＵは、手を使わずに、各種指示（例えば、透過型ＨＭＤ１８に表示されている患者Ｐの眼科画像の種類を変更する指示等）を医療情報処理システム１に入力することができる。
【００４９】
次いで、ＣＰＵ１２は、患者Ｐが変更されたか否かを判断する（Ｓ１９）。変更されていなければ、処理はＳ７へ戻り、Ｓ７〜Ｓ１７の処理が繰り返される。患者Ｐが変更されると、処理はＳ２へ戻り、次の患者に対する各種処理が行われる。
【００５０】
上記実施形態で開示された技術は一例に過ぎない。従って、上記実施形態で例示された技術を変更することも可能である。例えば、端末装置１０のＣＰＵ１２は、ユーザＵのジェスチャーを検出し、検出結果に応じて各種制御信号を生成してもよい。前述したように、上記実施形態の端末装置１０は、深度センサ１５を用いてユーザＵのジェスチャーを検出することができる。ジェスチャーに基づいて制御信号が生成されることで、ユーザＵは、手を使わずに各種指示を端末装置１０に入力することができる。
【００５１】
なお、図３のＳ１の処理は、患者画像取得ステップおよび薬剤画像取得ステップの一例である。図３のＳ３の処理は、患者識別情報取得ステップの一例である。図３のＳ４の処理は、患者情報取得ステップの一例である。図３のＳ５の処理は、患者情報通知ステップの一例である。図３のＳ８の処理は、薬剤識別情報取得ステップの一例である。図３のＳ９の処理は、判断ステップの一例である。図３のＳ１０の処理は、警告ステップの一例である。図３のＳ１３の処理は、撮影画像表示制御ステップの一例である。図３のＳ１６，Ｓ１７の処理は、音認識ステップの一例である。
【符号の説明】
【００５２】
１    医療情報処理システム
１０    端末装置
１２    ＣＰＵ
１４    撮影部
１７    音入力部
１８    透過型ＨＭＤ
２０    サーバ
２３    記憶装置
３０    眼科画像撮影装置
【図１】
2020042356.tif 000003
【図２】
2020042356.tif 000004
【図３】
2020042356.tif 000005
【図４】
2020042356.tif 000006